(57)【要約】【課題】船舶に搭載された機器の検査申請および承認の煩雑さを軽減することができる機器の検査申請および承認システムを提供する。【解決手段】船舶に搭載された機器の検査申請および承認システムは、複数の機器、機器の状態を監視する監視装置、および状態データを蓄積する船側サーバ装置、を有する船舶と、複数の機器のメンテナンス記録および複数の機器の状態データを定期的に蓄積する陸側サーバ装置と、複数の機器のうちの検査対象機器の検査を検査申請者から検査機関に対して申請するために、当該検査対象機器に関する申請情報の入力を受け付け、当該申請情報を出力する申請装置と、表示部を有し、申請装置から申請情報を受信し、検査対象機器についてのメンテナンス記録を陸側サーバ装置から読み込んで表示部に表示するとともに、検査対象機器についての状態データに基づいて解析された解析結果を表示部に表示する、検査機関用の承認装置と、を備える。【選択図】図１
2019040304.tif 000002
【特許請求の範囲】
【請求項１】
船舶に搭載している機器の検査申請および当該機器の継続使用のための承認を検査申請者と検査機関との間で行うための機器の検査申請および承認システムであって、
複数の機器、当該複数の機器の状態を監視する少なくとも１つの監視装置、および当該監視装置により取得した状態データを蓄積する船側サーバ装置、を有する前記船舶と、
前記複数の機器のメンテナンス記録および前記複数の機器の状態データを定期的に蓄積する、陸上に設置された陸側サーバ装置と、
前記複数の機器のうちの検査対象機器の検査を前記検査申請者から前記検査機関に対して申請するために、当該検査対象機器に関する申請情報の入力を受け付け、当該申請情報を出力する申請装置と、
表示部を有し、前記申請装置から前記申請情報を受信し、前記検査対象機器についてのメンテナンス記録を前記陸側サーバ装置から読み込んで前記表示部に表示するとともに、前記検査対象機器についての前記状態データに基づいて解析された解析結果を前記表示部に表示する、前記検査機関用の承認装置と、を備える、機器の検査申請および承認システム。
【請求項２】
前記船舶は、前記船側サーバ装置に蓄積された状態データを通信衛星および陸側通信装置を介して、前記陸側サーバ装置に定期的に送信する船側通信装置、を含み、
前記陸側サーバ装置は、蓄積した状態データを解析して解析結果を取得する解析部を備え、
前記承認装置は、前記陸側サーバ装置から送られた前記解析結果を前記表示部に表示する、請求項１に記載の機器の検査申請および承認システム。
【請求項３】
前記船舶は、前記船側サーバ装置に蓄積された状態データを通信衛星および陸側通信装置を介して、前記陸側サーバ装置に定期的に送信する船側通信装置、を含み、
前記承認装置は、前記陸側サーバ装置に蓄積された状態データを参照し、解析して解析結果を取得する解析部を有する、請求項１に記載の機器の検査申請および承認システム。
【請求項４】
前記陸側サーバ装置には、前記検査対象機器についての少なくとも１つの種類の状態データが蓄積されており、
前記申請装置は、前記複数種類の状態データの中から、解析に用いられる状態データの選択を受け付ける、請求項１〜３のいずれか１項に記載の機器の検査申請および承認システム。
【請求項５】
前記申請装置は、前記陸側サーバ装置に対して、前記選択された状態データへの前記承認装置からのアクセスを許可し、選択されなかった状態データへの前記承認装置からのアクセスを拒否するよう設定可能に構成される、請求項４に記載の機器の検査申請および承認システム。
【発明の詳細な説明】
【技術分野】
【０００１】
本発明は、船舶に搭載している機器の検査申請および当該機器の継続使用のための承認を検査申請者と検査機関との間で行うための機器の検査申請および承認システムに関する。
【背景技術】
【０００２】
船舶は、航海に適しているという保証を得るために、検査機関（例えば船級協会）が定めた機器について、当該検査機関から定期的に検査を受けて承認を得る必要がある。検査機関から承認を得るまでの流れとしては、検査申請者が、検査機関に対して対象となる機器の検査申請を行う。その後、検査機関が申請を受理すると、例えば、検査機関から派遣された検査員が立ち会ったうえで対象機器の開放検査が行われる。検査の結果に異常がなければ、検査機関から承認が得られる。例えば特許文献１は、就航船の機器の検査とは異なるが、船舶の建造過程での検査について開示されている。
【０００３】
検査機関や検査の対象となる機器によって検査方式も様々であり、検査方式によっては、検査申請時に、対象機器のメンテナンスの記録や運転状態の解析結果など、検査に必要なデータの提出が求められる場合がある。
【先行技術文献】
【特許文献】
【０００４】
【特許文献１】特開２０１３−１４５４５９号公報
【発明の概要】
【発明が解決しようとする課題】
【０００５】
検査対象となる機器は一隻の船に多数搭載されており、これらの機器について、検査申請者は、申請に必要なデータの準備を行っている。通常、検査申請者は、陸上にいる船舶管理者（船舶管理会社や船会社など）である場合が多く、陸上の検査申請者は、上述したような検査機関に提出するためのデータを洋上の船側から取り寄せる必要が生じていた。また、検査機関が提出されたデータに不足があると判断した場合、検査申請者は再度、船側に追加のデータを要求しなければならなかった。また、これらのデータの送付は紙媒体や電子メールにより行われており、検査申請者側でも検査機関側でも、データのやり取りやデータ管理など作業が煩雑化していた。
【０００６】
このように、従来のシステムでは、検査申請に必要なデータの準備や管理などにより、検査申請者側と検査機関側の双方にとって作業が煩雑化しており、検査の申請を行うまでに、そして申請してから承認を得るまでに多大な時間と労力を要していた。
【０００７】
そこで、本発明は、船舶に搭載された機器の検査申請および承認の煩雑さを軽減することができる機器の検査申請および承認システムを提供することを目的とする。
【課題を解決するための手段】
【０００８】
上記の課題を解決するために、本発明に係る機器の検査申請および承認システムは、船舶に搭載している機器の検査申請および当該機器の継続使用のための承認を検査申請者と検査機関との間で行うための機器の検査申請および承認システムであって、複数の機器、当該複数の機器の状態を監視する少なくとも１つの監視装置、および当該監視装置により取得した状態データを蓄積する船側サーバ装置、を有する前記船舶と、前記複数の機器のメンテナンス記録および前記複数の機器の状態データを定期的に蓄積する、陸上に設置された陸側サーバ装置と、前記複数の機器のうちの検査対象機器の検査を前記検査申請者から前記検査機関に対して申請するために、当該検査対象機器に関する申請情報の入力を受け付け、当該申請情報を出力する申請装置と、表示部を有し、前記申請装置から前記申請情報を受信し、前記検査対象機器についてのメンテナンス記録を前記陸側サーバ装置から読み込んで前記表示部に表示するとともに、前記検査対象機器についての前記状態データに基づいて解析された解析結果を前記表示部に表示する、前記検査機関用の承認装置と、を備える。
【０００９】
上記のシステムによれば、船舶に搭載された機器のメンテナンス記録および状態データが陸側サーバ装置に定期的に蓄積される。このため、検査申請者側は、検査対象となる機器の検査を申請する際に、申請装置を介して複数の機器のうちの検査対象機器に関する申請情報を入力すればよく、申請に必要なメンテナンス記録や解析結果を船側に要求したり、検査機関に送ったりする従来の検査申請に生じていた手間が省ける。また、検査機関は、検査申請者からメンテナンス記録や解析結果を受け取る必要がなく、承認装置から、前記陸側サーバ装置から読み込んだメンテナンス記録や、前記陸側サーバ装置に蓄積された状態データに基づく解析結果を確認することができる。従って、検査申請者側と検査機関側の双方に従来生じていた機器の検査申請および承認に伴う煩雑さが軽減される。
【００１０】
前記船舶は、前記船側サーバ装置に蓄積された状態データを通信衛星および陸側通信装置を介して、前記陸側サーバ装置に定期的に送信する船側通信装置、を含み、前記陸側サーバ装置は、蓄積した状態データを解析して解析結果を取得する解析部を備え、前記承認装置は、前記陸側サーバ装置から送られた前記解析結果を前記表示部に表示してもよい。この構成によれば、承認装置で状態データを解析する必要がないため、承認装置の処理負荷を軽減できる。
【００１１】
あるいは、前記船舶は、前記船側サーバ装置に蓄積された状態データを通信衛星および陸側通信装置を介して、前記陸側サーバ装置に定期的に送信する船側通信装置、を含み、前記承認装置は、前記陸側サーバ装置に蓄積された状態データを参照し、解析して解析結果を取得する解析部を有してもよい。解析結果を確認するための装置を、解析部を備えた承認装置に制限することができる。
【００１２】
前記陸側サーバ装置には、前記検査対象機器についての少なくとも１つの種類の状態データが蓄積されており、前記申請装置は、前記複数種類の状態データの中から、解析に用いられる状態データの選択を受け付けてもよい。
【００１３】
前記申請装置は、前記陸側サーバ装置に対して、前記選択された状態データへの前記承認装置からのアクセスを許可し、選択されなかった状態データへの前記承認装置からのアクセスを拒否するよう設定可能に構成されてもよい。この構成によれば、検査申請者が申請装置を介して選択した状態データのみ検査機関からのアクセスを可能にするため、検査機関側で誤って検査対象外の状態データが確認されてしまうことを防止することができる。
【発明の効果】
【００１４】
本発明によれば、船舶に搭載された機器の検査申請および承認の煩雑さを軽減することができる。
【図面の簡単な説明】
【００１５】
【図１】第１実施形態に係る検査申請および承認システムの概略構成図である。
【図２】第２実施形態に係る検査申請および承認システムの概略構成図である。
【発明を実施するための形態】
【００１６】
（第１実施形態）
図１に、本発明の第１実施形態に係る検査申請および承認システム１Ａを示す。この検査申請および承認システム１Ａは、船舶２に搭載している機器の検査申請および当該機器の継続使用のための承認を検査申請者と検査機関との間で行うためのシステムである。
【００１７】
検査機関は、船舶２に搭載された機器について定期的に検査する機関であり、例えば日本海事協会などの船級協会である。検査申請者は、陸上にいる船舶管理者（船舶管理会社や船会社など）であり、本実施形態では船舶２を管理する者である。以下、検査申請者が陸上設備４に所在し、検査機関が陸上設備５に所在するものとして説明する。
【００１８】
船舶２には、検査機関が定めた検査が必要となる機器２１ａ〜２１ｚが多数搭載されている。船舶２に搭載されている機器２１ａ〜２１ｚの数は、船舶２のグレードなどにより異なる。機器２１ａ〜２１ｚのそれぞれは、例えば、船舶２の主機関、発電機などの補助機関、減速装置、圧縮機、送風機、ポンプ、熱交換器、燃料を貯留するタンクなどである。なお、以下では機器２１ａ〜２１ｚのうち、任意の一の機器を示す場合には「機器２１」と称する。
【００１９】
本実施形態では、機器２１ａ〜２１ｚは、同じ検査方式が適用されてもよいし、異なる検査方式が適用されてもよい。本実施形態では、機器２１ａ〜２１ｚに状態基準（CBM：Condition Based Maintenance）の検査方式が適用されているものとして説明する。状態基準の検査方式では、機器２１の状態を監視し、その状態を解析した結果から開放検査実施時期を決定する。検査機関が機器２１の解析結果や後述のメンテナンスの記録などを確認して、その機器２１の状態に異常がないと判断されると、当該機器２１は、検査機関により継続使用が承認され、開放検査が免除される。このため、検査申請者は、状態基準の検査方式が適用された機器２１について、その機器２１のメンテナンス記録とともに、解析結果の確認を検査機関に依頼する検査申請を行う。
【００２０】
状態基準の検査方式が適用された機器２１ａ〜２１ｚには、機器２１ａ〜２１ｚの状態を監視する監視装置２２ａ〜２２ｚが設けられている。監視装置２２ａ〜２２ｚは、それぞれ、機器２１ａ〜２１ｚの状態に関する状態データを取得する。監視装置２２ａ〜２２ｚのそれぞれは、例えば、状態データとして温度データを取得する温度センサ、状態データとして圧力データを取得する圧力センサ、状態データとして振動データを取得する振動センサなどである。なお、以下では任意の一の機器２１の状態を監視する監視装置を示す場合には「監視装置２２」と称する。
【００２１】
監視装置２２は、機器２１の外部になくてもよく、機器２１の内部に監視装置２２が設けられてもよい。監視装置２２は、機器２１の外部装置であってもよいし、機器２１に含まれてもよい。また、１つの機器に対して、複数の監視装置が設けられてもよいし、複数の機器に対して共通の１つの監視装置が設けられてもよい。
【００２２】
また、船舶２には、船側サーバ装置２３が設けられている。船側サーバ装置２３は、サーバ本体と、当該サーバ本体に内蔵された、各種の演算処理を実行するＣＰＵなどの演算部と、当該演算部で実行される演算のための各種プログラムを記憶するＲＯＭ、ＲＡＭなどの演算記憶部を有する。
【００２３】
また、船側サーバ装置２３は、記憶部２４、入力部２５、表示部２６、および解析部２７を備える。記憶部２４は、例えばサーバ本体に内蔵された磁気ディスクである。入力部２５は、例えば、サーバ本体に接続されたキーボード、マウス、タッチパネルなどであり、表示部２６は、例えば、サーバ本体に接続された液晶ディスプレイである。
【００２４】
記憶部２４は、監視装置２２ａ〜２２ｚにより取得された機器２１ａ〜２１ｚの状態データを記憶する。また、記憶部２４には、機器２１ａ〜２１ｚのメンテナンスの内容を記録したデータ（メンテナンス記録）も蓄積される。メンテナンス記録には、例えば、メンテナンス実施日、計測データ、機器２１の画像データなどが含まれ得る。船舶２の乗組員は、機器２１ａ〜２１ｚのそれぞれについて、定期的にメンテナンスを行い、その内容を入力部２５から入力する。こうして、定期的に機器２１ａ〜２１ｚのメンテナンス記録が入力され、記憶部２４に蓄積される。
【００２５】
解析部２７は、記憶部２４に蓄積される状態データに基づいて、機器２１の劣化傾向など機器２１の状態を解析する。解析部２７は、例えば船側サーバ装置２３のサーバ本体に内蔵された上記ＣＰＵなどのハードウェア、および上記ＲＯＭなどに記憶された所定のソフトウェアを組み合わせて構築される。解析部２７により行われる解析には、例えばデータの正規化やトレンド解析、周波数解析などが含まれ、どの解析を行うかは、その状態データに対応する機器２１の種類や対応する監視装置２２の種類による。
【００２６】
解析部２７による解析は、船舶２の乗組員が機器２１の状態を確認する際に行われる。すなわち、船舶２の乗組員が、記憶部２４に蓄積された状態データの中から解析に用いる状態データを入力部２５を介して指定する。解析部２７は指定された状態データについて解析し、その解析結果を表示部２６に表示する。乗組員は、表示された解析結果を見て、解析された機器２１のメンテナンスの参考にする。
【００２７】
さらに、船舶２には、船側通信装置２８が設けられている。船側通信装置２８は、船側サーバ装置２３に含まれてもよい。船側通信装置２８は、船側サーバ装置２３の記憶部２４に蓄積されたメンテナンス記録および状態データを、通信衛星６を介して、陸側通信装置３１へ送信する。
【００２８】
陸側通信装置３１は、通信衛星６を介して船側通信装置２８と通信可能なものである。船側通信装置２８から陸側通信装置３１に送られたメンテナンス記録および状態データは、インターネット７を介して陸側サーバ装置３２に送られる。陸側サーバ装置３２は、検査申請者や検査機関が所在する陸上設備４，５とは別の陸上設備であるデータセンター３に設置されている。
【００２９】
陸側サーバ装置３２は、サーバ本体と、当該サーバ本体に内蔵された、各種の演算処理を実行するＣＰＵなどの演算部と、当該演算部で実行される演算のための各種プログラムを記憶するＲＯＭ、ＲＡＭなどの演算記憶部を有する。
【００３０】
また、陸側サーバ装置３２は、記憶部３３および解析部３４を備える。記憶部３３は、例えばサーバ本体に内蔵された磁気ディスクである。記憶部３３には、通信衛星６および陸側通信装置３１を介して送られた機器２１ａ〜２１ｚのメンテナンス記録および状態データが定期的に蓄積される。本実施形態では、船側通信装置２８から陸側通信装置３１へのメンテナンス記録および状態データの送信を、１日に１回、予め定めた時刻に行う。このため、記憶部３３に記憶されるメンテナンス記録および状態データは、毎日最新の状態のものが記憶される。ただし、船側通信装置２８から陸側通信装置３１への解析データの送信は、１日に１回でなくてもよく、例えば、２日に１回行われてもよいし、１日に複数回行われてもよい。
【００３１】
解析部３４は、上述した船側サーバ装置２３が有する解析部２７と同一のものである。すなわち、解析部３４は、記憶部３３に蓄積される状態データに基づいて、機器２１の劣化傾向など機器２１の状態を解析する。解析部３４は、例えば陸側サーバ装置３２のサーバ本体に内蔵された上記ＣＰＵなどのハードウェア、および上記ＲＯＭなどに記憶された所定のソフトウェアを組み合わせて構築される。解析部３４により行われる解析には、例えばデータの正規化やトレンド解析、周波数解析などが含まれ、どの解析を行うかは、その状態データに対応する機器２１の種類や対応する監視装置２２の種類による。
【００３２】
解析部３４による解析は、後述の申請装置４１や承認装置５１からインターネット７を介して陸側サーバ装置３２にアクセスされることにより実行される。
【００３３】
検査申請者が所在する陸上設備４は、申請装置４１を含む。申請装置４１は、検査申請者から検査機関に対して、検査対象となる機器の検査を申請するための装置である。申請装置４１は、パーソナルコンピュータなどのコンピュータであり、各種演算を行うＣＰＵなどの演算部（図示せず）やＲＡＭやＲＯＭなどの各種情報を記憶する記憶部（図示せず）の他、キーボードやマウスなどの入力部４２、液晶ディスプレイなどの表示部４３を備える。また、申請装置４１は、インターネット７に接続されている。
【００３４】
申請装置４１は、入力部４２を介して、機器２１の検査を申請するための申請情報の入力を検査申請者から受け付ける。すなわち、検査申請者が、申請装置４１にて検査申請のための所定のソフトウェアを起動する。これにより、申請装置４１の表示部４３には、検査申請に必要な情報を入力する検査申請画面が表示される。検査申請者は、申請装置４１の入力部４２を介して、検査申請に必要な情報を申請情報として入力する。
【００３５】
具体的には、検査申請画面には、申請装置４１の入力部４２を介して、検査申請の対象となる機器２１を指定できるように構成される。すなわち、申請装置４１には、インターネット７を介して、陸側サーバ装置３２から、船舶２に搭載している機器２１ａ〜２１ｚの情報が送られる。そして、検査申請画面には、機器２１ａ〜２１ｚの中から１つ又は複数の機器を選択可能に表示される。検査申請者が入力部４２を介して機器２１を選択することにより、検査申請の対象となる機器が指定される。すなわち、申請情報には、少なくとも検査対象となる機器を示す情報が含まれる。なお、以下では機器２１ａ〜２１ｚのうち、検査申請者が検査申請の際に指定した検査対象となる機器２１を「対象機器２１」と称することとする。
【００３６】
こうして、申請装置４１に機器２１の検査を申請するための申請情報が入力された後、検査申請者が、入力部４２を介して申請を実行する。これにより、申請情報は、申請装置４１からインターネット７を介して検査機関の承認装置５１に送信される。検査申請者が入力部４２を介して行う申請の実行は、申請情報を承認装置５１に送るいかなる態様であってもよい。例えば、検査申請画面上の申請実行ボタンを押すことにより、承認装置５１にて所定のアプリケーションから確認できるよう申請情報が送られてもよいし、電子メールにより申請情報が承認装置５１に送られてもよい。申請情報には、対象機器２１を示す情報の他、検査申請者や船舶、検査に必要なデータに関する情報が含まれてもよい。
【００３７】
また、本実施形態では、申請装置４１が、陸側サーバ装置３２に蓄積されたメンテナンス記録や状態データに対する承認装置５１からのアクセスを制限する。すなわち、上述したように、検査申請者が検査申請を行う過程で、入力部４２を介して機器２１を選択したが、陸側サーバ装置３２は、申請装置４１から送られた対象機器２１の選択情報に基づき、選択された機器２１の状態データに対して、承認装置５１からのアクセスを許可し、選択されなかった機器２１の状態データに対して、承認装置５１からのアクセスを拒否する。これにより、検査機関側で検査申請されていない機器の状態データを誤って確認してしまうことを防止することができる。
【００３８】
対象機器２１に対して複数の監視装置（例えば、温度センサと圧力センサ）が設けられていた場合、陸側サーバ装置３２には、対象機器２１についての複数種類の状態データが蓄積されている。本実施形態では、対象機器２１ごとに検査申請に必要となる状態データが予め設定されている。そして、検査申請画面での対象機器２１の選択によって、選択された対象機器２１に関する状態データのうち、予め設定された状態データに対して、承認装置５１からのアクセスを許可し、設定されていない状態データに対して、承認装置５１からのアクセスを拒否する。これにより、検査機関側で検査に関係のない状態データを誤って確認してしまうことを防止することができる。
【００３９】
ただし、申請装置４１は、対象機器２１の選択だけでなく、対象機器２１についての複数種類の状態データ（例えば、温度データと圧力データ）の中から、状態データの選択を検査申請者から受け付けてもよい。例えば、検査申請画面にて検査申請者が対象機器２１を選択すると、検査申請画面には、複数種類の状態データの中から、１つ又は複数の状態データが選択可能に表示されてもよい。そして、検査申請画面での状態データの選択によって申請装置４１から陸側サーバ装置３２に状態データの選択情報が送られる。陸側サーバ装置３２は、状態データの選択情報に基づき、選択された状態データに対して、承認装置５１からのアクセスを許可し、選択されていない状態データに対して、承認装置５１からのアクセスを拒否してもよい。これにより、検査機関側から予め設定された状態データ以外の状態データの解析結果を要求された場合に、申請装置４１から状態データの選択を行うことで、検査機関側からの要求に即座に対応することができる。更に、申請装置４１は、対象機器２１の各種類の状態データの解析に用いられる部分を、現在から１年前までなど期間で指定できるように構成されていてもよい。
【００４０】
なお、アクセス制限の方法は、特に限定されず、周知の技術が適用される。例えば陸側サーバ装置３２の記憶部３３では、機器２１ごとに分けられたフォルダにメンテナンス記録および状態データが記憶されており、申請装置４１から対象機器２１の選択情報あるいいは状態データの選択情報に基づき、フォルダごとにアクセス権限を設定可能であってもよい。また、申請装置４１からは、検査申請に係る機器２１の状態データの全部に対して承認装置５１からのアクセスを許可してもよいし、一部に対して承認装置５１からのアクセスを許可してもよい。なお、図面では、一例として、申請装置４１にて「状態データ２」が選択されることにより、承認装置５１から「状態データ２」のみアクセスが許可されていることが示されている。
【００４１】
承認装置５１は、検査機関が所在する陸上設備５に設置されている。承認装置５１は、検査申請者から検査の申請があった対象機器２１についてのメンテナンスの記録や解析結果を検査機関が確認し、承認するための装置である。承認装置５１は、パーソナルコンピュータなどのコンピュータであり、各種演算を行うＣＰＵなどの演算部（図示せず）やＲＡＭやＲＯＭなどの各種情報を記憶する記憶部（図示せず）の他、キーボードやマウスなどの入力部５２、液晶ディスプレイなどの表示部５３を備える。また、承認装置５１は、インターネット７に接続されている。
【００４２】
承認装置５１は、インターネット７を介して申請装置４１から申請情報を受信する。この申請情報に基づき、検査機関の担当者は、承認装置５１からインターネット７を介して陸側サーバ装置３２にアクセスする。
【００４３】
具体的には、検査機関の担当者は、承認装置５１が申請情報を受信したことにより検査申請があったことを確認し、承認装置５１にて検査のための所定のソフトウェアを起動する。これにより、承認装置５１の表示部５３には、対象機器２１の検査を行うために必要な情報を入力する検査確認画面が表示される。検査機関の担当者は、検査確認画面を見ながら、受信した申請情報に基づき、検査確認に必要な情報を入力する。例えば検査機関の担当者は、検査確認画面を見ながら、申請された対象機器２１の指定、場合によっては、状態データの指定（状態データの種類の指定および／または状態データの期間の指定）を行う。
【００４４】
必要な情報の入力が完了すると、承認装置５１は、対象機器２１について検査に必要なデータを陸側サーバ装置３２から読み込み、承認装置５１の表示部５３に表示する。例えば、承認装置５１は、対象機器２１についてのメンテナンス記録を陸側サーバ装置３２から読み込んで表示部５３に表示する。また、陸側サーバ装置３２の解析部３４では、承認装置５１で入力された情報に基づき、対象機器２１についての状態データの解析を行う。そして、解析された解析結果がインターネット７を介して承認装置５１に送られ、表示部５３に表示される。検査機関の担当者は、表示部５３に表示されたデータの確認を行い、異常がなければ対象機器２１について継続使用のための承認を行う。
【００４５】
以上説明したように、本実施形態の検査申請および承認システム１Ａでは、船舶２に搭載された機器２１のメンテナンス記録および状態データが陸側サーバ装置３２に定期的に蓄積される。このため、検査申請者側は、対象機器２１の検査を申請する際に、申請装置４１を介して複数の機器２１ａ〜２１ｚのうちの対象機器２１に関する申請情報を入力すればよく、申請に必要なメンテナンス記録や解析結果を船舶２側に要求したり、検査機関に送ったりする従来の検査申請に生じていた手間が省ける。また、検査機関は、検査申請者からメンテナンス記録や解析結果を受け取る必要がなく、承認装置５１から、陸側サーバ装置３２から読み込んだメンテナンス記録や陸側サーバ装置３２に蓄積された状態データに基づく解析結果を確認することができる。従って、検査申請者側と検査機関側の双方に従来生じていた、船舶２に搭載された機器２１の検査申請および承認に伴う煩雑さが軽減される。
【００４６】
（第２実施形態）
図２に、本発明の第２実施形態に係る検査申請および承認システム１Ｂを示す。なお、本実施形態において、第１実施形態と同一構成要素には同一符号を付し、重複した説明は省略する。
【００４７】
本実施形態では、陸側サーバ装置３２にて状態データの解析を行う代わりに、承認装置５１にて状態データの解析を行う。具体的には、承認装置５１は、解析部５４を含む。解析部５４は、例えば承認装置５１の上記ＣＰＵなどのハードウェア、および上記ＲＯＭなどに記憶された所定のソフトウェアを組み合わせて構築され、第１実施形態の陸側サーバ装置３２の解析部３４と同様の役割を果たす。すなわち、承認装置５１にて、対象機器２１の指定や対象機器２１の状態データの指定などが行われると、解析部５４は、インターネット７を通じて陸側サーバ装置３２に蓄積された状態データを参照し、解析して解析結果を取得する。取得した解析結果は、承認装置５１の表示部５３に表示される。こうして、検査機関の担当者は、対象機器２１についての解析結果を確認することができる。
【００４８】
また、本実施形態では、申請装置４１も、承認装置５１と同様に、解析部４４を含む。すなわち、申請装置４１にて、対象機器２１の指定や対象機器２１の状態データの指定などが行われると、解析部４４は、インターネット７を通じて陸側サーバ装置３２に蓄積された、状態データを参照し、解析して解析結果を取得する。取得した解析結果は、申請装置４１の表示部４３に表示される。こうして、検査申請前に、検査申請者は、対象機器２１についての解析結果を確認することができる。
【００４９】
本実施形態でも、第１実施形態と同様に、検査申請者側と検査機関側の双方に従来生じていた、船舶２に搭載された機器２１の検査申請および承認に伴う煩雑さが軽減される。
【００５０】
（その他の実施形態）
本発明は上述した実施形態に限定されるものではなく、本発明の要旨を逸脱しない範囲で種々の変形が可能である。
【００５１】
例えば、上記実施形態では、機器２１ａ〜２１ｚのメンテナンス記録や状態データを蓄積する陸側サーバ装置３２が、データセンター３に設けられていたが、これに限定されず、陸側サーバ装置３２は陸上設備４または５に設けられていてもよい。
【００５２】
また、申請装置４１は、陸側サーバ装置３２に蓄積されたメンテナンス記録や状態データに対する承認装置５１からのアクセスを制限しなくてもよい。また、申請装置４１にて設定した期間の間のみ、承認装置５１から陸側サーバ装置３２に記憶されたデータに対してアクセスできてもよい。
【符号の説明】
【００５３】
１Ａ，１Ｂ  検査申請および承認システム
２      ：船舶
２１    ：対象機器
２２    ：監視装置
２３    ：船側サーバ装置
２８    ：船側通信装置
３１    ：陸側通信装置
３２    ：陸側サーバ装置
３３    ：記憶部
３４    ：解析部
４１    ：申請装置
５１    ：承認装置
５３    ：表示部
５４    ：解析部
６      ：通信衛星
７      ：インターネット
【図１】
2019040304.tif 000003
【図２】
2019040304.tif 000004